(57)【特許請求の範囲】
【請求項１】
上方位置においてニードルシリンダ（２０）の片半部に対向するとともにニードルシリンダ（２０）の軸心（２０a ）に対し半径方向に可動である複数のフック（２）を有する半円板（１）を備えており、該半円板（１）のフック（２）の数は、下方に位置するニードルシリンダ（２０）の片半部のニードル（５）、（６）の数に等しく、各フック（２）は、前記ニードル（５）、（６）の横位置に隣接しており、前記半円板（１）は、ニードルシリンダ（２０）と共に軸心（２０a ）の回りに回転可能であり、ニードルシリンダ（２０）の第２の片半部のニードル（６）に対向させるために直径軸（４）回りに折り重ねることができるシングルシリンダ丸編機を用い、一端を閉じたホージャリー等の管状製品を製造する方法であって、次の第１乃至第５の工程を含むことを特徴とする管状編物の製造方法。
第１の工程でニードルシリンダ（２０）は、その軸心（２０a ）回りを交互に回転されて、該ニードルシリンダ（２０）の片半部のニードル（５）を作動させるための少なくとも１回の前進及び後退運動を行い、上方に位置し折り重ねられた半円板（１）のフック（２）は、給糸口（７）の前面を通過し、このフック（２）は、前記少なくとも１回の前進及び後退運動の間、給糸口（７）により捌かれた糸（８）を捉えるために引き出された状態にあり、下方のニードルシリンダ（２０）の片半部のニードル（５）のうち、作動状態にあるニードル（Ａ）は、給糸口（７）の前面を通過しつつ糸（８）を捉え、折り重ねられた半円板（１）の両端のフック（２）に糸（８）を係合させ、ニードルシリンダが反転される毎に静止状態のニードル（Ｂ）と入れ替わる。
第２の工程でフック（２）は、前記糸（８）との係合を保ったまま半円板（１）に引き込まれる。
第３の工程で糸（８）を捉えているニードルシリンダ（２０）の第１片半部のニードル（５）によりかかと編みが形成される。
第４の工程で折り重ね状態にある半円板（１）は前記直径軸（４）の回りに回動し、糸（８）を保持しているフック（２）がニードルシリンダ（２０）の第２片半部のニードル（６）に対向する。
第５の工程でフック（２）は、半円板（１）から部分的に引き出され、ニードルシリンダ（２０）の第２片半部のニードル（６）も作動されて、その間シリンダ（２０）は、第２片半部のニードル（６）による編成のためのループ（１２）を形成するように軸心（２０a ）回りを連続して回転し、形成されたループ（１２）と前記フック（２）によって保持された糸（８）のループとにより編目を構成し、フック（２）は半円板（１）に引き込まれて糸（８）を保持から解放する。
【請求項２】
前記前進及び後退運動の間、ニードルシリンダ（２０）の第２片半部の最後のニードルもまた、前記給糸口（７）の前面を通過し、前記糸（８）を捉えるように作動されることを特徴とした請求項１記載の製造方法。
【請求項３】
前記給糸口（７）により第１の工程中に送り込まれる糸（８）は弾性糸である請求項１記載の製造方法。
【請求項４】
半円板（１）は、折り重ねられた後、ニードルシリンダ（２０）とともに、前記軸（２０a ）の回りに約１８０度回動されることを特徴とした請求項１記載の製造方法。
【請求項５】
前記フック（２）は、カール状の長手方向の端部（３０a ）をもった扁平な細長い本体（３０）と、該本体（３０）と一体の平面部と前記端部（３０a ）に対向したカール状端部（３１a ）とを有する弾性の薄板部（３１）と、該薄板部（３１）と前記本体（３０）との間に、前記ニードル（５）の挿通を可能とするように形成された挿通孔（３２）とを有し、前記薄板部（３１）のカール状端部（３１a ）は、前記フック本体（３０）に対し、該フック本体（３０）の端部（３０a ）を閉じるために接近可能であり、またフック（２）が半円板（１）に引き込まれるとき、前記挿通孔（３２）に挿通されているニードル（５）の挿通を許容するために離反可能であって、前記第５の工程においてニードルシリンダ（２０）の第２片半部のニードル（６）は、対応するフック（２）の薄板部（３１）と本体（３０）との間に形成される挿通孔（３２）を前記糸（８）のループと共に通過して、新たなループを編成することを特徴とした請求項１記載の製造方法。
【請求項６】
第５の工程において、ニードルシリンダ（２０）の第２片半部のニードル（６）により新たに形成された各ループ（１２）は、第１の工程で形成された二つのループ（８a ）、（８b ）の重なり領域を通過して対応のフック（２）のカール状端部（３０a ）により支持されることを特徴とした請求項５に記載の製造方法。
【発明の詳細な説明】
【０００１】
【発明の属する技術分野】
この発明は、一端を閉じたホージャリー等の管状編物をシングルシリンダ丸編機によって製造する方法に関する。
【０００２】
【従来の技術】
ホージャリーは現在丸編機により製造されている。同機によれば、通常、靴下の脚部の上端部分から編み起こされつま先部分を開放したままに工程を終わる。
そこで製品を仕上げるにはさらに次の工程で縫合またはルーピングを行ってつま先を閉じる必要がある。
このつま先部分を閉じる工程は、ホージャリーの製造コストを上げる原因になっているため最近最初からつま先部分を閉じた素材を使う方法及び装置が提案されている。しかし、提案された方法は、製品的にみた場合従来の丸編み方法によるものと比べると仕上がり度や品質が劣るという結果が出ている。
種々の方法がテストされたが、結局、製造に時間がかかり、それだけ製造コストが嵩むことが判明した。
【０００３】
【発明が解決しようとする課題】
この発明の目的は、ホージャリーのつま先部分が単一のシリンダ丸編機で直接閉じられるようにして、コストのかからない競争に強いホージャリーの製造方法を提供せんとするものである。
さらに、靴下のつま先部分が単一のシリンダ丸編機で直接閉じられても品質において従来のものと遜色のないホージャリーの製造方法を提供せんとするものである。
【０００４】
【課題を解決するための手段】
以下の説明によりこれらの目的を明らかにするが、概説すれば、本発明の製造方法は、上方位置においてニードルシリンダの片半部に対向するとともにニードルシリンダの軸心に対し半径方向に可動である複数のフックを有する半円板を備えており、該半円板のフックの数は、下方に位置するニードルシリンダの片半部のニードルの数に等しく、各フックは、前記ニードルの横位置に隣接しており、前記半円板は、ニードルシリンダの第２の片半部のニードルに対向させるために直径軸回りに折り重ねることができるシングルシリンダ丸編機を用い、一端を閉じたホージャリー等の管状製品を製造する方法であって、次の第１乃至第５の工程を含むことを特徴とするものである。
【０００５】
第１の工程でニードルシリンダは、その軸心回りを交互に回転されて、該ニードルシリンダの片半部のニードルを作動させるための少なくとも１回の前進及び後退運動を行い、上方に位置し折り重ねられた半円板のフックは、給糸口の前面を通過し、このフックは、前記少なくとも１回の前進及び後退運動の間、給糸口により捌かれた糸を捉えるために引き出された状態にあり、下方のニードルシリンダの片半部のニードルのうち、作動状態にあるニードルは、給糸口の前面を通過しつつ糸を捉え、折り重ねられた半円板の両端のフックに糸を係合させ、ニードルシリンダが反転される毎に静止状態のニードルと入れ替わる。
【０００６】
第２の工程でフックは、前記糸との係合を保ったまま半円板に引き込まれる。
第３の工程で糸を捉えているニードルシリンダの第１片半部のニードルによりかかと編みが形成される。
第４の工程で折り重ね状態にある半円板は前記直径軸の回りに回動し、糸を保持しているフックがニードルシリンダの第２片半部のニードルに対向する。
【０００７】
第５の工程でフックは、半円板から部分的に引き出され、ニードルシリンダの第２片半部のニードルも作動されて、その間シリンダは、第２片半部のニードルによる編成のためのループを形成するように軸心回りに連続して回転し、形成されたループと前記フックによって保持された糸のループとにより編目を構成し、フックは半円板に引き込まれて糸を保持から解放する。
【０００８】
【発明の実施の形態】
この発明のその他の特徴と効果は、以下に述べる説明により明らにするが、以下の例はあくまで例示であり、本発明はこれら実施例に限定されるものではない。
【０００９】
この発明の方法は、単一のシリンダによるホージャリー丸編機によって実行される。同機は、ニードルシリンダ２０の上端に面した半円形の板１を有し、かつ、複数のフック２を備えている。フック２は、半円板１の内側にそれ自体公知の放射状の溝に沿って動くことができる。フック２は公知の方法により作動されると、先端部を突き出したり、半円板１の溝３内に引っ込んだりする。
【００１０】
半円板１は直径軸４の回りに適宜重ねられる（fold over)。その結果、フック２はニードルシリンダ２０の第１の片半部の針または第２の片半部の針６に対向することになる。
【００１１】
この丸編機の構成部品としては、図示するようにニードルシリンダ２０に対しその上方でかつ同軸に配置した半円形の板（以下、半円板という）１、または円板だけで、具体的には、半円板１と固定の半円板１０で構成されている。これ以外に円板を使っても実施できる。
【００１２】
特に、本願出願人名義による日本特許出願平成９年特許願第１００２１８号の発明でも同様の装置を使用しており、この従来例を詳細は省略するが本発明に対する従来技術としてここに引用するものである。
【００１３】
上記従来技術は、円板を備えており、同円板は、ニードルシリンダ２０の上方に固定的にかつ略々水平面上に維持され、それが対向するニードルシリンダの片半部（または、ニードルシリンダの第２の片半部）のニードル６二本に一本の割でフック１１を有した半円板１０と、自らの上方（または、ニードルシリンダの第１の半円形部分）にあるニードルシリンダの片半部のニードルの数に相当する数のフック２を有した半円板１とからなっている。
【００１４】
上記先行技術では半円板１は、固定の半円板１０に対しニードルシリンダの直径軸４の回りに折ることができ、また、同固定の半円板１０に対しニードルシリンダの軸２０回りにニードルシリンダとともに回転することもできる。その結果、反転してほぼ固定半円板１０とほぼ同一平面で隣接する。
【００１５】
ここでの「固定半円板」とは、半円板１０が重なるのではなく半円板１のようにニードルシリンダの軸２０a 回りに同ニードルシリンダと一緒に回転することを意味する。
好ましくは、円板と、特に半円板１のフックにイタリー特許出願MI96A-001272号に開示のフック２を使用する。
【００１６】
図２及び３に示すようにフック２は、カール状の長めの端部３０a を持った細長い扁平の本体３０を有している。さらに、各フック２は、弾性の薄板部分３１を有し、同薄板部分３１は、本体３０の平面部分と一体になっており、かつ、フック本体３０側のカール状端部３０a に対向した同じくカール状の端部３１a を有している。薄板３１とフック本体３０との間に本機側のニードルの挿通孔３２が形成される。薄板部分３１のカール状端部３１a は、フック本体３０に対し揺動自在である。それによりフック本体３０のカール状端部３０a は閉じられ、ニードルが挿通孔３２に挿通されたあとはニードルはフック本体３０のカール状端部３０a に後退する。
さらに、フック２にはフック本体３０からそれぞれ上方と下方に突出したヒール(heel)３３及び３４があり、上方部で円板に対向した公知のカムを通じて円板を作動する。
【００１７】
この発明の方法によれば、第１の工程においてニードルシリンダ２０が、軸心２０a 回りに交互に反転し、少なくとも１回の前進運動（forward motion) と少なくとも１回の後退運動(return motion) とを含むように、ニードルシリンダの第１片半部のニードル５及び半円板１のフック２を動かし、給糸口７の正面を通過させる。
【００１８】
この第１の工程においては、半円板１のフック２はカール状端部とともに後退して給糸口７で捌かれた糸８を支持する。ニードルシリンダの第１の片半部のニードル５が作動されて、給糸口７により捌かれる糸をピックアップする。糸をピックアップするニードル５は、不作動にされていたニードルと交代し、作動されたニードルはニードルシリンダの運動が反転した時点で不作動ニードルと交代される。
【００１９】
さらに詳しく説明すれば、図１に示すようにニードルシリンダの前進運動において半円板１の下方にあるニードルシリンダの第１片半部の奇数ニードル、すなわち、第１ニードル、第３ニードル、第５ニードル等は図１中矢印Ａで示すように上げられ、他方、同前進運動中偶数ニードルＢ、すなわち、第２、第４、第６等は不作動とされる。
【００２０】
ニードルシリンダの動きが反転されると奇数ニードルＡは不作動に保持され、偶数ニードルＢは作動される。
このようにしてフック２に託され、図４に示すようにそれぞれ奇数ニードルと偶数ニードルとによりピックアップされる二本の糸を得ることができる。実際は二本の糸は、給糸口７により捌かれる一本の糸８の違う部位である。しかし、分かり易くするために二本の糸が別々に送糸されるとし、異なる符号８a 、８b で示す。
糸８は弾性糸であることが好ましい。
【００２１】
半円板１のフック２毎にニードル５が設けられているため前進運動の間にニードルによりピックアップされる糸は二本の連続する奇数ニードルＡの間の二本のフックに支持されている。他方、後退運動中に偶数ニードルＢにより取り上げられた糸は二本の連続する偶数ニードルの間の二本のフックに支持されている。
【００２２】
半円板１は必然的にフック２から始まり、ニードル５で終わる（又はその逆）ため符号４０で示す半円板の最初のフックは、給糸口７により送り込まれる糸８を受け取ることはない。このため、本発明方法の最初の工程においてはニードルシリンダの前進運動、後退運動中にニードルシリンダは作動され、その結果、ニードルシリンダの第２片半部の第１のニードル（矢印５０）または、半円板１の最初のフック４０に最も近いニードルシリンダの第２の片半部のニードルもまた給糸口７の正面を通過する。
したがって、第１工程中に給糸口７から送られる糸８は、最初のフック４０上で自動的に整えられた後次の工程で同フックによりそのまま保持される。
【００２３】
次いで第３の工程に進む。この工程で本機が作動され靴下のつま先を編成するために公知のかかと編みが形成される。かかと編みは、糸８をピックアップしているニードルシリンダの第１片半部のニードル５により行われる。これらのニードルは半円板１上方のニードルシリンダの片半部に位置している。
【００２４】
第４の工程で半円板１が直径軸４の回りに重ねられ、その結果第１の工程中糸８を引き留めていたフック２は、ニードルシリンダの第２の片半部のニードル６に対向する。
【００２５】
第５の工程においてフック２は半円板２から半分後退され、ニードルシリンダの残る半円形部のニードル６は作動され、他方、ニードルシリンダは連続してその軸心回りを回転してニードルシリンダのニードルは編み込みによりループを形成する。
【００２６】
特に、ニードルシリンダの第２の片半部のニードル６（その上で半円板１は既に重ねられている）は、給糸口７により捌かれる糸８をピックアップし、挿通孔３２、従って、フック２により引き留められている糸８a 、８b のループを通過することになり、図５に略示するようにそのループ２により新たなループ１２を編み込む。図４において糸８a 、８b により形成されたループの上方にあるループ１３は、第３の工程におけるかかと編みにより形成されたものである。
【００２７】
さらに詳しく述べると、第５工程の初期段階で各フック２は、糸８a 、８b によりそれぞれ形成される二つのループを支える。糸８a 及び８b は第１工程の編み込み工程の結果フック２のカール状端部において重なり合う。ニードル６により形成される新たなループは、図５に示すように糸８a 、８b の重なり部分を通過する。
これら新たなループの形成中のニードルの降下中にフック２は半円板方向に後退されそれまで第１の工程中に形成されたループを解放する。
【００２８】
半円板１がニードルシリンダの第２片半部上で重ねられたのち同半円板１はニードルシリンダとともに約１８０度回転される。他方、固定の半円板１０は静止しており、半円板１は固定半円板１０と同一平面にあった位置に戻るが、本出願人による前記日本特許出願平成９年特許願第１００２１８号に開示の通り反転する。
【００２９】
最後に、第６工程の実行は本機により製品の仕上げが行われる。この仕上げ方法は公知であり詳細は省略する。
本発明方法によれば、単一のシリンダ丸編機でつま先部分を閉じたホージャリーを製造することができ、しかもその品質、美感において従来の丸編み方法による製品と遜色のないものとなる。
【００３０】
特に、第１の工程においてはニードルシリンダの第２半円形部の第１のニードルも編み込みを行うようになるため、つま先の閉じは完全となるが、もしその仕上げがないとつま先の閉じた部分の一端が階段状に段がつくことになる。
好ましくは、図１矢印６０で示すように第１の工程においてニードルシリンダの第２の片半部の最後のニードルも、給糸口７により捌かれた糸８をピックアップするように作動することでつま先の両端の閉じを完璧にすることができる。
【００３１】
この発明の製造方法は、ホージャリー等の管状ないし筒状の一端を閉じたニットものを、単一のシリンダ丸編機で直接製造することができ、品質、製造コストにおいて従来の製品と変わりはなく、本発明の所期の目的を完全に達成することができる。
上記説明した本発明の方法は発明の要旨の範囲において種々の変更が可能であり、上記説明中の要素・部品は均等物に置換することができること勿論である。
寸方や使用の材質は所与の条件とその時の技術の状態次第で適宜決められる。
【図面の簡単な説明】
【図１】  シングルシリンダ丸編機の円板及びニードルシリンダの各平面図である。
【図２】  フックの側面図である。
【図３】  図２に示すフックの III−III 面に沿った概略断面図である。
【図４】  本発明方法による第１の工程中におけるニードルシリンダのニードル群及びフック群の各側面図である。
【図５】  本発明方法による第１の工程を略示する説明図である。
【符号の説明】
１、１０  半円板
２、１１  フック
５、６    ニードル
７        給糸口
８        糸
２０      ニードルシリンダ
３０      フック本体
３１      弾性薄板
【図１】
0004038262.tif 000002
【図２】
0004038262.tif 000003
【図３】
0004038262.tif 000004
【図４】
0004038262.tif 000005
【図５】
0004038262.tif 000006